(57)【要約】  一実施形態において、電子シンバルシステムは、第１シンバルにおける振動を示す第１電気信号を生成するように構成される第１ピックアップと、前記第１電気信号を受信するとともに、出力を生成するために前記第１電気信号を処理するように構成されるコントローラと、を含む。前記コントローラは、前記第１電気信号のバージョンにデジタル信号処理技術を適用するように構成されるデジタル信号プロセッサ（ＤＳＰ）を含む。前記デジタル信号処理技術は、ダイナミックレンジコンプレッション、エキスパンション、周波数イコライゼーション、ハーモニックエキサイテーション、コムフィルタリング、およびピッチシフティングの１つ以上を含む。前記シンバルは、ハイハット、クラッシュ、およびライドシンバルのような様々な既知のシンバルであってもよく、かつ屋内で使用するために騒音を減少するように構成される穴が空いたタイプであってよい。
2013546026.tif 000002
【特許請求の範囲】
【請求項１】
第１シンバルにおける振動を示す第１電気信号を生成するように構成される第１ピックアップと、
前記第１電気信号を受信するともに、出力を生成するために前記第１電気信号を処理するように構成されるコントローラと、
を有する電子シンバルシステム。
【請求項２】
前記コントローラは、
前記第１電気信号のバージョンにデジタル信号処理技術を適用するように構成されるデジタル信号プロセッサ（ＤＳＰ）を含む、
請求項１に記載の電子シンバルシステム。
【請求項３】
前記デジタル信号処理技術は、
ダイナミックレンジコンプレッション、エキスパンション、周波数イコライゼーション、ハーモニックエキサイテーション、コムフィルタリング、およびピッチシフティングの１つ以上を含む、
請求項２に記載の電子シンバルシステム。
【請求項４】
ユーザのコマンドを前記コントローラに伝達するとともに、コントローラシステム情報を前記ユーザに伝達するように構成されるユーザインターフェースをさらに有する、
請求項１に記載の電子シンバルシステム。
【請求項５】
前記ユーザのコマンドは、
前記第１電気信号に基づいて前記ＤＳＰによって実行可能な処理技術のプリセットの選択に関する、
請求項４に記載の電子シンバルシステム。
【請求項６】
前記コントローラは、
第２シンバルにおける振動を示す第２電気信号を受信し、
前記第２電気信号のバージョンにダイナミックレンジコンプレッション、エキスパンション、周波数イコライゼーション、ハーモニックエキサイテーション、コムフィルタリング、およびピッチシフティングの１つ以上を適用するように構成される、
請求項１に記載の電子シンバルシステム。
【請求項７】
前記コントローラは、
電子楽器に関連付けられたトリガ信号を受信するように構成される、
請求項１に記載の電子シンバルシステム。
【請求項８】
前記電子楽器は、電子シンバルである、
請求項７に記載の電子シンバルシステム。
【請求項９】
前記電子楽器は、電子ドラムである、
請求項７に記載の電子シンバルシステム。
【請求項１０】
前記コントローラは、
補助オーディオ信号を受信するように構成される、
請求項１に記載の電子シンバルシステム。
【請求項１１】
前記出力は、アナログである、
請求項１に記載の電子シンバルシステム。
【請求項１２】
前記出力は、デジタルである、
請求項１に記載の電子シンバルシステム。
【請求項１３】
前記シンバルは、ハイハットシンバルである、
請求項１に記載の電子シンバルシステム。
【請求項１４】
前記シンバルは、ライドシンバルである、
請求項１に記載の電子シンバルシステム。
【請求項１５】
前記シンバルは、クラッシュシンバルである、
請求項１に記載の電子シンバルシステム。
【請求項１６】
前記シンバルは、穴が空いている、
請求項１に記載の電子シンバルシステム。
【請求項１７】
前記コントローラに接続されるとともに、前記第１シンバルを照らすように構成される、１つ以上の光源をさらに有する、
請求項１に記載の電子シンバルシステム。
【請求項１８】
前記少なくとも１つの光源は、前記第１ピックアップに取り付けられる、
請求項１７に記載の電子シンバルシステム。
【請求項１９】
第１入力部と、
前記第１入力部を通じて、第１シンバルにおける振動を示す第１電気信号を受信するとともに、前記第１電気信号にデジタル信号処理技術を適用するように構成されるデジタル信号プロセッサ（ＤＳＰ）と、
前記適用された第１電気信号のバージョンを出力するように構成される第１出力部と、
を有するコントローラ。
【請求項２０】
前記デジタル信号処理技術は、
ダイナミックレンジコンプレッション、エキスパンション、周波数イコライゼーション、ハーモニックエキサイテーション、コムフィルタリング、およびピッチシフティングの１つ以上を含む、
請求項１９に記載のコントローラ。
【請求項２１】
ユーザのコマンドを前記コントローラに伝達するとともに、コントローラシステム情報を前記ユーザに伝達するように構成されるユーザインターフェースをさらに有する、
請求項１９に記載のコントローラ。
【請求項２２】
前記ユーザのコマンドは、
前記第１電気信号に基づいて前記ＤＳＰによって実行可能な処理技術のプリセットの選択に関する、
請求項２１に記載のコントローラ。
【請求項２３】
第２入力部をさらに含み、
前記コントローラは、前記第２入力部を通じて、第２シンバルにおける振動を示す第２電気信号を受信するとともに、前記第２電気信号のバージョンにダイナミックレンジコンプレッション、エキスパンション、周波数イコライゼーション、ハーモニックエキサイテーション、コムフィルタリング、およびピッチシフティングの１つ以上を適用するようにさらに構成される、
請求項１９に記載のコントローラ。
【請求項２４】
第２入力部をさらに有し、
前記コントローラは、前記第２入力部を通じて、電子楽器に関連付けられたトリガ信号を受信するように構成される、
請求項１９に記載のコントローラ。
【請求項２５】
前記電子楽器は、電子シンバルである、
請求項２４に記載のコントローラ。
【請求項２６】
前記電子楽器は、電子ドラムである、
請求項２４に記載のコントローラ。
【請求項２７】
第２入力部をさらに有し、
前記コントローラは、第２入力部を通じて、補助オーディオ信号を受信するように構成される、
請求項１９に記載のコントローラ。
【請求項２８】
前記第１出力部は、アナログ出力部である、
請求項１９に記載のコントローラ。
【請求項２９】
前記第１出力部は、デジタル出力部である、
請求項１９に記載のコントローラ。
【請求項３０】
前記シンバルは、ハイハットシンバルである、
請求項１９に記載のコントローラ。
【請求項３１】
前記シンバルは、ライドシンバルである、
請求項１９に記載のコントローラ。
【請求項３２】
前記シンバルは、クラッシュシンバルである、
請求項１９に記載のコントローラ。
【請求項３３】
前記シンバルは、穴が空いている、
請求項１９に記載のコントローラ。
【請求項３４】
光源に発光制御信号を出力するための発光制御出力部をさらに有する、
請求項１９に記載のコントローラ。
【請求項３５】
第１シンバルにおける振動を検出するステップと
前記検出された振動を示す第１電気信号を生成するステップと、
前記第１電気信号にデジタル信号処理技術を適用するステップと、
前記適用された第１電気信号のバージョンを出力するステップと、
を有するシンバル音処理のための方法。
【請求項３６】
前記デジタル信号処理技術は、
ダイナミックレンジコンプレッション、エキスパンション、周波数イコライゼーション、ハーモニックエキサイテーション、コムフィルタリング、およびピッチシフティングの１つ以上を含む、
請求項３５に記載の方法。
【請求項３７】
前記第１電気信号に基づいて実行可能な処理技術のプリセットの選択をユーザに提供するステップをさらに有する、
請求項３５に記載の方法。
【請求項３８】
第２シンバルにおける振動を検出するステップと、
前記第２シンバルにおける前記検出された振動を示す第２電気信号を生成するステップと、
前記第２電気信号にデジタル信号処理技術を適用するステップと、
前記適用された第２電気信号のバージョンを出力するステップと、
をさらに有する、請求項３５に記載の方法。
【請求項３９】
前記第２電気信号に適用された前記デジタル信号処理技術は、ダイナミックレンジコンプレッション、エキスパンション、周波数イコライゼーション、ハーモニックエキサイテーション、コムフィルタリング、およびピッチシフティングの１つ以上を含む、
請求項３８に記載の方法。
【請求項４０】
電子楽器に関連付けられたトリガ信号を検出するステップをさらに有する、
請求項３５に記載の方法。
【請求項４１】
前記電子楽器は、電子シンバルである、
請求項４０に記載の方法。
【請求項４２】
前記電子楽器は、電子ドラムである、
請求項４０に記載の方法。
【請求項４３】
補助オーディオ信号を検出するステップを、さらに有する、
請求項３５に記載の方法。
【請求項４４】
前記適用された第１電気信号の前記出力されたバージョンは、アナログである、
請求項３５に記載の方法。
【請求項４５】
前記適用された第１電気信号の前記出力されたバージョンは、デジタルである、
請求項３５に記載の方法。
【請求項４６】
前記シンバルは、ハイハットシンバルである、
請求項３５に記載の方法。
【請求項４７】
前記シンバルは、ライドシンバルである、
請求項３５に記載の方法。
【請求項４８】
前記シンバルは、クラッシュシンバルである、
請求項３５に記載の方法。
【請求項４９】
前記シンバルは、穴が空いている、
請求項３５に記載の方法。
【請求項５０】
発光制御信号を光源に出力するステップを、
さらに有する請求項３５に記載の方法。
【発明の詳細な説明】
【技術分野】
【０００１】
本開示は、一般的に楽器に関し、より詳細には、楽器からの音の電子処理に関する。
【背景技術】
【０００２】
シンバルは、従来アコースティックのみの楽器だった。大きなスペースやレコーディングセッションのライブパフォーマンスのために、マイクロフォンは、後の増幅および/またはレコーディングのためにそれらの音を拾うために標準的に使用されるが、その意図は、一般的にシンバルの自然な音を「忠実に」再現することである。時折、リバーブ（reverb）またはイコライゼーションのような適度な後処理エフェクトは、シンバルの音を仕上げるために必要に応じて適用されるか、望まれる。
【発明の概要】
【発明が解決しようとする課題】
【０００３】
電子ドラムキットの登場は、自然と「電子シンバル」をもたらした。それらのドラムのカウンターパート（counterparts）のように、これらのデバイスは、電子「トリガ」として使用され、――すなわち、シンバル自身の叩かれる音は、聞くために増幅されず、言い換えれば全く聞かれる意図がない。前記「シンバル」（または、より正確には、プラスチックまたはプラスチックで覆われたシンバルのレプリカ）は、あるタイプのセンサと共に組み立てられ、叩かれた際に、アコースティックシンバルの事前に録音された「サンプル」の再生を開始するトリガ信号を生成する。前記電子シンバルの「音」は、叩かれたセンサによってトリガされる前記サンプルを変更することによって変化する。このアプローチは、実質的に静かな動作という利点と「本物の」事前に録音されたシンバルの音とを提供する一方で、「感触（feel）」と「表現力」において大きな悪化を招く。ドラマーは、アコースティックシンバルの提供する「スティックが金属を叩く」感触と、様々なタイプの叩き方、叩く強さ、および叩くもの（スティック、マレット、ブラシ等）で、異なる場所においてアコースティックシンバルを叩くことによって実現できる非常に広い範囲の音の種類と、に慣れている。実際的に、ドラマーがアコースティックシンバルで慣れている感触および表現力の範囲を提供するための費用効果のあるセンシングスキームは、存在しない。
【課題を解決するための手段】
【０００４】
本明細書中で記載されるシンバルシステムは、ドラマーが大切にするスティックが金属を叩く感触をドラマーに提供するために、本物の金属のシンバル等を使用することが出来る。望むならば音量レベルは、前記シンバルの金属に穴をあけることによって、家庭で許容できるレベルまで下げることが出来る。サンプルの音の「トリガ」として前記シンバルを使用するのではなく、ドラムキット内の他のシンバルから独立した各シンバルの音を提供するために、近距離マイクロフォン、接触マイクロフォン、または他のタイプ（光学式、磁気式等）のピックアップ（pickup）デバイスによって前記シンバルの自然な振動自体が、電気信号に変換される。その後、振動の振幅、周波数、またはその他の特性によって表すことが出来るこれらのピックアップの出力は、前記シンバルの自然な音への修正を行うことが出来るコントローラ/信号処理ユニットへ送信される。これは、ドラマーのようなユーザに、ギタリストは長い間慣れてはいたがドラマーは持ったことのない何かしらのものを提供する。それは、それらの楽器固有のアコースティックな振動の自然な表現力全てを保持する一方で、電気信号処理手段を介した幅広い種類の音色にアクセスできることである。
【０００５】
本明細書に記載されるように、電子シンバルシステムは、第１シンバルにおける振動を示す第１電気信号を生成するように構成される第１ピックアップと、前記第１電気信号を受信するとともに出力を生成するために前記第１電気信号を処理するように構成されるコントローラと、を含む。
【０００６】
また本明細書に記載されるように、コントローラは、第１入力部と、前記第１入力部を通じて第１シンバルにおける振動を示す第１電気信号を受信するとともに、前記第１電気信号をデジタル信号処理技術へ適用するように構成されるデジタル信号プロセッサ（ＤＳＰ）と、前記適用された第１電気信号のバージョンを出力するように構成される第１出力部と、を含む。
【０００７】
本明細書中で、シンバル音処理のための方法も記載される。前記方法は、第１シンバルにおいて振動を検出するステップと、前記検出された振動を示す第１電気信号を生成するステップと、前記第１電気信号をデジタル信号処理に適用させるステップと、
前記適用された第１電気信号のバージョンを出力するステップと、を含む。
【０００８】
本明細書の一部に取り込まれるとともに本明細書の一部を構成する添付の図面は、1つ以上の実施形態の例を図示するとともに、例示の実施形態の説明と併せて、実施形態の原理と実装との説明に役立てるものである。
【図面の簡単な説明】
【０００９】
【図１】図１は、一実施形態による電子シンバルシステム１００の概略図である。
【図１Ａ】図１Ａは、一実施形態による穴空き（perforated）シンバル発光装置の概略図である。
【図２】図２は、一実施形態によるコントローラの一部を示すブロック図である。
【図３】図３は、一実施形態によるシンバル音処理を実行するための方法の流れ図である。
【発明を実施するための形態】
【００１０】
実施形態の例は、電子シンバルシステムに関連して本明細書に記載される。当業者は、以降の説明が例示のためだけに用いられ、いかなる方法においても限定することは意図されていないことを理解するだろう。他の実施形態は、本明細書の恩恵に浴するそのような当業者へ、容易に提案される。添付の図面において図示されるような実施形態の例の実装が詳細に参照される。同一の参照符号は、同一または類似の項目に言及するために、図面および以下の説明を通じて可能な限り使用される。
【００１１】
明確化のために、本明細書に記載の実装の慣例的特徴の全ては、図示および記載されるわけではない。もちろん、そのような実際の実装の開発において、アプリケーションとビジネス関連の制約のコンプライアンスのような開発者の特定の目標を達成するために、多数の実装特有の決定が行われる必要があることと、それらの特定の目標はある実装、および開発者によって変化することとがあり得る。さらに、そのような開発努力は、複雑かつ時間がかかるものであるかもしれないが、それでも、本明細書の恩恵に浴する当業者にとっては日常の技術的作業であることが認められる。
【００１２】
本開示によると、本明細書に記載される構成要素、処理ステップ、および／またはデータ構造のいくつかは、様々なタイプのオペレーティングシステム、コンピューティングプラットフォーム、コンピュータプログラム、および／または汎用マシンを使用して、実行される。加えて、当業者ならば、結線型装置、フィールドプログラマブルゲートアレイ（ＦＰＧＡ）、特定用途向け集積回路（ＡＳＩＣ）等の汎用性の低い装置でも本明細書において開示する発明概念の範囲および精神から逸脱することなく使用できることを理解するはずである。一連の処理ステップを有する方法をコンピュータやマシンで実装し、それらの処理ステップを一連のマシン可読命令として記憶できる場合は、コンピュータメモリ装置（例えば、ＲＯＭ（Ｒｅａｄ  Ｏｎｌｙ  Ｍｅｍｏｒｙ））、ＰＲＯＭ（Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュメモリ、ジャンプドライブ等）、磁気記憶媒体（例えば、テープ、磁気ディスクドライブ等））、光学式記憶媒体（例えば、ＣＤ−ＲＯＭ、ＤＶＤ−ＲＯＭ、ペーパーカード、ペーパーテープ等）、その他のプログラムメモリ等、有体のメディアにそれらの処理ステップを記憶されうる。
【００１３】
本明細書中で排他的に使用されている「好適（exemplary）」という用語は、「例、事例、または実例として役立つこと」を意味する。本文に「好適」と示されているいかなる事例も、必ずしも他の実施形態よりも望ましい、または有利と判断されるわけではない。
【００１４】
図１は、電子シンバルシステム１００の概略図である。コントローラ１０２は、それぞれが関連付けられたシンバル１０６において発生した振動を示す電気信号を提供するように機能する複数のピックアップ１０４に接続される。振動の振幅および周波数と、他のシンバル振動の特性のような特徴を検出するように構成される前記ピックアップ１０４は、近距離マイクロフォン、接触マイクロフォン、または他の種類のマイクロフォンのような様々な既知のマイクロフォン、あるいは光学式または電磁式センサ等などのセンサのようなセンサであってよい。前記シンバル１０６は、ハイハット、ライド、またはクラッシュシンバルの形式の既知の金属的な楽器（または他の打楽器）でもありえ、ドラムスティック、マレット等の物体に打たれたときに、振動する。さらに、一実施形態において、前記シンバル１０６は、前記シンバルの音の出力を減少または変更するために複数の穴が空けられている。
【００１５】
前記ピックアップ１０４と前記コントローラ１０２との間の接続は、無線であってもよい。代替的に、前記接続は、ケーブル１０８を経由してもよく、この場合このようなケーブルは、例えばＬＥＤを使用して、前記シンバルに機能的または審美的な照明を提供するために光源に電力を供給する追加の目的で機能することが出来る。このような装置は、図１Ａにおいて図示され、ピックアップ１０４に取り付けられたＬＥＤ１１０は、下から前記シンバルを照らすために光１１２を前記シンバル１０６の底部に向ける。シンバル１０６における穴１１４は、ＬＥＤ１１２からの光を前記シンバルの上へ向かって通過させ、光１１２ａが前記穴を通して現れることを可能としている。前記ＬＥＤ１１２は、どんな所望の色でもありうる。もちろん、例えば白熱電球等などを含むＬＥＤ以外の光源が考慮されてもよい。
【００１６】
図２は、コントローラ１０２の部分を図示するブロック図である。一般的に、前記コントローラ１０２の動作は、前記ピックアップ１０４によって検出されたようなシンバルの振動を、例えば、電圧を時間の関数のような形式でリアルタイム波形にデジタル化するステップを含む。周波数は、本情報において間接的に示される。一度、音の波形がこのようにデジタル化されると、フィルタリング、ダイナミックレンジ処理、ハーモニックエキサイテーションなどの以下にさらに詳細に説明されるような所望の様々な処理要素を達成するために、時間領域または周波数領域（またはその他）のいずれかのＤＳＰ処理は、適用されることが出来る。
【００１７】
図２へ戻り、ピックアップ１０４（図１）からのアナログ信号は、前記コントローラの入力ステージ２０２に到達するとともに、デジタル領域への変換のために、Ａ−Ｄコンバータ２０４に渡される。次に前記デジタル信号は、以降でさらに説明されるような処理のためにデジタル信号プロセッサ（ＤＳＰ）２０６に提供される。前記処理の後、前記信号は、任意の方法で、Ｄ−Ａコンバータ２０８を介して前記アナログ領域へと再変換されるとともに、その後、出力バッファ２１４経由で前記コントローラのオーディオ出力部２１２に渡される。代替的に、または加えて、コントローラ１０２は、前記アナログ領域への変換をすることなく、ＤＳＰ２０６からデジタル信号を出力することが出来る。
【００１８】
コントローラ１０２は、前記ＤＳＰ２０６に接続されたユーザインターフェース（ＵＩ）マイクロコントローラ２１６等も含む。マイクロコントローラ２１６は、必要に応じてデータおよびコードのストレージとして使用されるメモリ２１８に接続される。マイクロコントローラ２１６は、ＵＩ２２０にも接続され、ユーザは、それを通じて入力および命令を前記マイクロコントローラ２１６およびコントローラ１０２へ供給するとともに、それらからシステム情報を受信することが出来る。前記受信されたシステム情報は、光（ＬＥＤの明滅など）、英数字の表示、ディスプレイ画面、トーンまたは事前に録音あるいは合成された音声の形式の音などの形式で、伝達出来る。
【００１９】
説明目的のみのために独立して図示された前記コントローラ１０２の様々な構成要素は、異なる方法で組み合されてもよい。例えば、ＤＳＰ２０６は、前記Ａ−Ｄコンバータ２０４およびＤ−Ａコンバータ２０８から独立して、かつ前記マイクロコントローラ２１６から独立して図示されている。しかしながら、コストの制約、製品特性の目標設定、製品開発戦略、構成要素の可用性などに依存し、それらの要素の一部のまたは全ては、組み合されうる。さらに、十分に強力なＤＳＰ２０６は、別の構成要素を用いることなく前記ＵＩマイクロコントローラ２１６の機能性を組み込んでもよい。前記ＵＩマイクロコントローラ２１６は、メモリ２１８を組み込んでもよい。様々な構成要素のそれぞれのいくつかの詳細な説明は、明瞭性のために省略されている点に留意しなければならない。例えば、前記ＤＳＰデバイスは、機能を実行するための必要に応じて、自身の専用メモリ（ＲＡＭ、ＲＯＭ等）２２１を含むことが出来る。代替的に、前記メモリは別の（または追加の）構成要素２２１ａであってもよく、要望に応じて拡張してもよい。
【００２０】
図１においてより詳細に図示されるユーザインターフェース２２０は、本明細書においてプリセットとして言及された、ＤＳＰパラメータの複数のセットの中から選択するための、ノブ２２２および２２４のような手段を含む。各プリセットは、特定のシンバル音を提供するＤＳＰパラメータの組み合わせを表す。異なるプリセットは、ハイハット、ライド、クラッシュ等の各タイプのシンバルに適合されてよい。それぞれ、典型的には数十個（few dozen or a few score）のパラメータから成る、数十から数百（Dozens, scores, or hundreds of）個のプリセットは、それらがわずかなメモリスペースしか消費しないため、容易に提供される。ユーザは、ボタン、ノブ、または他の制御を介して、「クリスプハイハット」、「ブライトライド」、「ゴングクラッシュ」等のようなプリセットの中から、前記所望の音および/または効果に依存して選択しうる。現在選択されたプリセットの情報および様々な他のシステムパラメータは、上記のＬＥＤ、ＬＣＤのような一般的な表示技術によって示されうる。上記されたそのような情報は、光（ＬＥＤの明滅など）、英数字の表示、ディスプレイ画面、トーンまたは事前に録音あるいは合成された音声の形式の音などの形式を取ることが出来る。
【００２１】
広範囲の信号処理動作は、ＤＳＰ技術によって実現できる。これらは、ダイナミックレンジコンプレッションおよびエキスパンションと、周波数イコライゼーションと、ハーモニック「エキサイター」と、コムフィルタと、ピッチシフター等などである。これらの技術は、本技術分野において既知であるため、さらなる説明は行わない。これらの技術のための基礎的要素は、全体的なもしくは部分的なハードウェア実装も考慮されるが、一般的にＤＳＰのプログラミングの範囲内の再構成可能なソフトウェア要素またはモジュールとして実行される。プリセットメモリ（図示せず）内に記憶されたソフトウェア命令を介して、および/またはリアルタイムで前記ユーザインターフェースを介して、様々な処理ブロックのパラメータおよび前記信号チェーンにおけるブロックの順番は、要望に応じて構成されることが出来る。
【００２２】
シンバルで特によく動作することが経験的な方法で見出だされた信号処理チェーンの例は、以下の通りであるが、他の処理チェーンも考慮される：
【００２３】
リミッター  ―＞  ピッチシフター  ―＞  エキサイター  ―＞  パラメトリックイコライザー  ―＞コムフィルタ  ―＞  リミッター
【００２４】
多くの他の処理ブロックおよび処理ブロックの構成は、前記ＤＳＰの処理速度および能力に依存することが可能である。
【００２５】
前記プリセットが、メモリ２１８、２２１および/または２２１ａのような、再書き込みが可能なメモリ（ＲＡＭ、フラッシュＲＯＭ、ＥＥＰＲＯＭ等）内に記憶されている場合、前記オンボードインターフェース制御（例えばノブ２２２およびボタン２２４）を介して、またはデスクトップＰＣ（図示せず）から離れてＵＳＢ、ＭＩＤＩ、Ｅｔｈｅｒｎｅｔ（登録商標）などのような標準的なインターフェースを介して、前記プリセットパラメータをユーザが編集するための準備がなされうる。
【００２６】
コントローラ１０２は、発光コントローラまたはドライバ２２５を経由して前記ＬＥＤ１１０（図１Ａ）の前記動作を制御するための動作も行う。この動作は、例えばＤＳＰ２０６によって処理された様々なリズムまたはビートに同期されることによって行われることもできる。発光制御は、ＬＥＤ１００または同様の光源に接続された出力部を持つＵＩマイクロコントローラ２１６を経由して提供される。
【００２７】
コントローラ１０２は、電子ドラムおよびその他の補助デバイスから入力を受信するように構成されることもできる。前記電子ドラムによって生じた音は、例えば、前記ＤＳＰ２０６によって前記シンバルの音とミックスされることができ、オーディオ出力部２１２を介して、その後の装置によって増幅および/または録音するための、結果として全体にわたって生じた「キットミックス（kit mix）」出力を伴う。前記シンバルおよびドラムからの信号は、統一されたユーザインターフェースをともなう単一の集積システムに組み合されうる。ここで示される前記システムの要素は、トリガセンシング、サンプルの再生、電子ドラムセットの典型的な機能等を加えてもよい。
【００２８】
前記補助入力部（Ａｕｘ入力部）は、追加の音源のための入力部である。この音源は、前記ユーザが事前に録音された音楽とともに演奏することによって練習することが出来るように、ｍｐ３プレーヤ等のような典型的な再生デバイスからの、前記シンバル（およびドラム）音とミックスされることが出来る。
【００２９】
図３は、一実施形態によるシンバル音処理を実行するための方法３００の流れ図である。前記方法は、ステップ３０２において、第１電子シンバルにおける振動を検出するステップと、ステップ３０４において、前記検出された振動を示す第１電気信号を生成するステップと、ステップ３０６において、前記第１電気信号にデジタル信号処理技術を適用するステップと、ステップ３０８において、前記適用された第１電気信号のバージョンを出力するステップと、を含む。
【００３０】
これまで、実施形態とアプリケーションを図に示すとともに説明してきたが、前述したもの以外にも本明細書において開示された発明概念から逸脱することなく数多くの修正が可能であることは、ここでの開示の恩恵に浴する当業者にとって明白である。
したがって本発明は本特許請求の範囲の趣旨以外によって限定されるべきではない。
【符号の説明】
【００３１】
１００  電子シンバルシステム
１０２  コントローラ
１０４  ピックアップ
１０６  シンバル
１０８  ケーブル
１１２、１１２ａ  光
１１４  穴
２０２  入力ステージ
２０４  Ａ−Ｄコンバータ
２０６  デジタル信号プロセッサ（ＤＳＰ）
２０８  Ｄ−Ａコンバータ
２１２  オーディオ出力部
２１４  出力バッファ
２１６  ユーザインターフェースマイクロコントローラ
２１８、２２１、２２１ａ  メモリ
２２０  ユーザインターフェース
２２２  ノブ
２２４  ボタン
２２５  ドライバ
【図１Ａ】
2013546026.tif 000003
【図１】
2013546026.tif 000004
【図２】
2013546026.tif 000005
【図３】
2013546026.tif 000006
【国際調査報告】
2013546026.tif 000007